【事件の表示】
　特許第６５６５４１９号発明「化粧シート、及び化粧板」の特許異議申立事件について、次のとおり決定する。
【結論】
　特許第６５６５４１９号の特許請求の範囲を訂正請求書に添付された訂正特許請求の範囲のとおり、訂正後の請求項〔１〜１０〕について訂正することを認める。
　特許第６５６５４１９号の請求項１、３〜１０に係る特許を維持する。
　特許第６５６５４１９号の請求項２に係る特許についての特許異議の申立てを却下する。
【理由】
第１　手続の経緯
　特許第６５６５４１９号の請求項１〜１０に係る特許についての出願は、平成２７年７月２４日の出願であって、令和元年８月９日にその特許権の設定登録がされ、令和元年８月２８日に特許掲載公報が発行された。
　本件特許異議の申立ての経緯は、次のとおりである。
令和　２年　２月２６日　　：特許異議申立人藤江桂子（以下「申立人」と
　　　　　　　　　　　　　　いう。）による請求項１〜１０に係る特許に
　　　　　　　　　　　　　　対する特許異議の申立て
令和　２年　６月２６日付け：取消理由通知
令和　２年　８月２４日　　：特許権者による訂正請求書及び意見書の提出
令和　２年　９月３０日付け：訂正拒絶理由通知
令和　２年１２月２２日付け：取消理由通知（決定の予告）
令和　３年　３月　５日　　：特許権者による訂正請求書及び意見書の提出
令和　３年　４月１５日　　：申立人による意見書の提出
第２　訂正の適否
１．訂正の内容
　上記令和３年３月５日提出の訂正請求書による訂正の請求を、以下「本件訂正請求」といい、訂正自体を「本件訂正」という。
　本件訂正の内容は、訂正箇所に下線を付して示すと、次のとおりである。
（１）訂正事項１
　本件訂正前の請求項１に記載された
「シート基材上に形成された絵柄模様層と、前記絵柄模様層上に形成された第１の表面保護層と、前記第１の表面保護層上に部分的に形成された第２の表面保護層と、前記第２の表面保護層上に部分的に形成された第３の表面保護層とを備え、前記第１の表面保護層と前記第２の表面保護層とが異なる光沢を有し、前記第３の表面保護層は、前記第２の表面保護層の７５％以下の面積を被覆し、前記第２の表面保護層の厚みの４倍以上の厚みを有することを特徴とする」を、
「シート基材上に形成された絵柄模様層と、前記絵柄模様層上に形成された第１の表面保護層と、前記第１の表面保護層上に部分的に形成された第２の表面保護層と、前記第２の表面保護層上に部分的に形成された第３の表面保護層とを備え、
　
前記絵柄模様層は、前記シート基材の表面に、前記表面全体を覆い絵柄の下地色となる柄インキ層と、前記下地色以外の絵柄を表す導管インキ層と、がこの順に積層されて形成され、
　
前記第１の表面保護層は、前記第１の表面保護層を通して前記絵柄模様層の絵柄を透視できる程度に透明または半透明な材料で形成され、
　
前記第２の表面保護層は、前記第１の表面保護層の前記導管インキ層の印刷インキと対向する部分を被覆する層であり、
　
前記第２の表面保護層は、前記第２の表面保護層および第１の表面保護層を通して、前記絵柄模様層の絵柄を透視できる程度に透明または半透明な材料で形成され、
　前記第１の表面保護層と前記第２の表面保護層とが異なる光沢を有し、
　前記第３の表面保護層は、前記第２の表面保護層の７５％以下の面積を被覆し、前記第２の表面保護層の厚みの４倍以上の厚みを
有し、
　
前記第２の表面保護層の厚みは０．７μｍ以上６．０μｍ未満であり、前記第３の表面保護層の厚みは３０μｍ以上１２０μｍ未満であり、
　
前記第２の保護層は、前記導管インキ層を構成する印刷インキが表現する導管の長手方向に垂直な面における断面形状が三角形である部分、前記断面形状が台形である部分、および前記断面形状が階段状である部分が混在している
（２）訂正事項２
　本件訂正前の請求項２を削除する。
（３）訂正事項３
　本件訂正前の請求項３に記載された「請求項１または２に記載の」を、「請求項
１
（４）訂正事項４
　本件訂正前の請求項４に記載された「請求項１から３のいずれか１項に」を、「請求項１
または
（５）訂正事項５
　本件訂正前の請求項５に記載された「請求項１から４のいずれか１項に」を、「請求項１
、３、
（６）訂正事項６
　本件訂正前の請求項６に記載された「請求項１から４のいずれか１項に」を、「請求項１
、３、
（７）訂正事項７
　本件訂正前の請求項７に記載された「前記第３の表面保護層は、平均粒径３０μｍ以上の合成樹脂ビーズまたは無機化合物のフィラーを含むことを特徴とする請求項１から６のいずれか１項に記載の化粧シート。」を、
「前記第３の表面保護層は、平均粒径３０μｍ以上の合成樹脂ビー
ズを
、３〜
（８）訂正事項８
　本件訂正前の請求項９に記載された「エンボス加工による凹凸形状が施されたことを特徴とする請求項１から８のいずれか１項に記載の化粧シート。」を、
「エンボス加工による凹凸形状が施さ
れ、前記凹凸形状は、前記シート基材、前記絵柄模様層、および前記第１の表面保護層の、前記第１の表面保護層上に前記第２の表面保護層が形成されていない部分を凹部とすることで形成された
、３〜
（９）訂正事項９
　本件訂正前の請求項１０に記載された「請求項１から９のいずれか１項に記載の」を、「請求項１
、３〜
２．一群の請求項について
　本件訂正前の請求項１〜１０について、請求項２〜１０は、本件訂正前の請求項１の記載を直接的又は間接的に引用するものであって、上記訂正事項１〜２によって訂正される請求項１に連動して訂正されるものであるから、本件訂正請求は、一群の請求項〔１〜１０〕について請求されたものである。
３．訂正の目的の適否、新規事項の有無、特許請求の範囲の拡張・変更の存否
（１）訂正事項１について
ア　訂正の目的について
　訂正事項１は、本件訂正前の請求項１の「絵柄インキ層」の構成、「第１の表面保護層」の材料、「第２の表面保護層」の位置、材料、厚み及び断面形状、並びに「第３の表面保護層」の厚みについて限定するものであるから、特許請求の範囲の減縮を目的とするものである。
イ　願書に添付した明細書、特許請求の範囲又は図面（以下「本件特許明細書等」という）に記載した事項の範囲内の訂正であること
（ア）訂正事項１のうち、「絵柄インキ層」の構成を限定した事項は【００１３】の記載に、「第１の表面保護層」の材料を限定した事項は【００１４】の記載に、「第２の表面保護層」の位置及び材料を限定した事項は【００１７】の記載に、「第２の表面保護層」の厚みを限定した事項は【００１８】の記載に、「第３表面保護層」の厚みを限定した事項は【００２１】の記載に、それぞれ基づくものである。
（イ）まず、訂正事項１のうち、「第２の表面保護層」の断面形状を限定した事項における、「前記導管インキ層を構成する印刷インキが表現する導管の長手方向に垂直な面」について検討する。「導管」は、「物をみちびき送る管。」又は「（ふつう「道管」と書く）被子植物の維管束の木部を構成する組織。細胞（道管要素という）は円柱形または多角柱形で、縦に連なり、根から吸収した水分や養分を上部に送るもの。大部分の末端壁は消失して長い管状となる。」［株式会社岩波書店　広辞苑第六版］を意味するところ、「物をみちびき送る管」又は「長い管状」であれば長手方向が存在することは明らかであるから、本件特許明細書等の【００１３】に記載された「導管インキ層」が「長手方向」を有することは自明である。以上の点を踏まえ、本件特許明細書等の図１〜３を見れば、当該図１〜３に図示された「導管インキ層（２ｂ）」は、その長手方向に垂直な断面を示すものである。
　次に、訂正事項１のうち、「第２の表面保護層」の断面形状を限定した事項における、「断面形状が三角形である部分、前記断面形状が台形である部分、および前記断面形状が階段状である部分が混在している」ことについて検討する。「導管の長手方向に垂直な面」を断面とする図１〜３を参照すると、「第２の表面保護層」について、「断面形状が三角形である部分、前記断面形状が台形である部分、および前記断面形状が階段状である部分が混在している」ことが看取される。
　そうすると、訂正事項１のうち「第２の表面保護層」の形状を限定した事項は、【００１３】及び図１〜３の記載に基づくものである。
（ウ）上記（ア）、（イ）から、訂正事項１は、本件特許明細書等に記載した事項の範囲内においてするものである。
ウ　実質上特許請求の範囲を拡張し、又は変更する訂正ではないこと
　訂正事項１は、本件訂正前の請求項１の発明特定事項をさらに限定するものであり、発明のカテゴリーや対象、目的を変更するものではないから、実質上特許請求の範囲を拡張し、又は変更するものではない。
（２）訂正事項２について
　訂正事項２は、本件訂正前の特許請求の範囲の請求項２を削除するものであるから、特許請求の範囲の減縮を目的とするものに該当し、本件特許明細書等に記載された事項の範囲内においてするものであり、実質上特許請求の範囲を拡張し、又は変更するものでもない。
（３）訂正事項３〜６、９について
　訂正事項３〜６、９は、訂正事項２に伴い、請求項の引用関係の整合を図るために、削除された請求項２を引用しないものとするものであるから、明瞭でない記載の釈明を目的とするものに該当する。
　また、訂正事項３〜６、９は、本件特許明細書等に記載された事項の範囲内においてするものであり、実質上特許請求の範囲を拡張し、又は変更するものでもない。
（４）訂正事項７について
　訂正事項７は、本件訂正前の請求項７の「第３の表面保護層」が含むものについて択一的記載の要素を削除し、また、訂正事項２に伴い、請求項の引用関係の整合を図るために、削除された請求項２を引用しないものとするものであるから、特許請求の範囲の減縮及び明瞭でない記載の釈明を目的とするものに該当する。
　訂正事項７は、本件特許明細書等に記載された事項の範囲内においてするものである。
　訂正事項７は、本件訂正前の請求項７の発明特定事項をさらに限定するものであり、発明のカテゴリーや対象、目的を変更するものではないから、実質上特許請求の範囲を拡張し、又は変更するものではない。
（５）訂正事項８について
ア　訂正の目的について
　訂正事項８は、本件訂正前の特許請求の範囲の請求項９の「エンボス加工により施された凹凸形状」について限定し、また、訂正事項２に伴い、請求項の引用関係の整合を図るために、削除された請求項２を引用しないものとするものであるから、特許請求の範囲の減縮及び明瞭でない記載の釈明を目的とするものである。
イ　本件特許明細書等に記載した事項の範囲内の訂正であること
　訂正事項８のうち「エンボス加工により施された凹凸形状」について限定した事項は、本件特許明細書の【００３２】に「例えば、図４に示すように、化粧シート２０にエンボス加工による凹凸形状が施され、凹凸形状により、触感による立体感をより感じさせる構成としてもよい。」と記載され、図４も参照すれば、本件特許明細書等に記載された事項の範囲内においてするものである。
ウ　実質上特許請求の範囲を拡張し、又は変更する訂正ではないこと
　訂正事項８は、本件訂正前の請求項９の発明特定事項をさらに限定するものであり、発明のカテゴリーや対象、目的を変更するものではないから、実質上特許請求の範囲を拡張し、又は変更するものではない。
４．小括
　以上のとおりであるから、本件訂正は、特許法第１２０条の５第２項ただし書第１号及び第３号に掲げる事項を目的とするものであり、かつ、同条第４項並びに第９項で準用する同法第１２６条第５項及び第６項の規定に適合する。
　したがって、特許請求の範囲を、訂正請求書に添付された訂正特許請求の範囲のとおり、訂正後の請求項〔１−１０〕について訂正することを認める。
第３　訂正後の本件発明
　上記第２のとおり本件訂正が認められたことから、本件特許の請求項１、３〜１０に係る発明（以下「本件発明１」等という。）は、訂正特許請求の範囲の請求項１、３〜１０に記載された事項により特定される、次のとおりのものである。
「【請求項１】
　シート基材上に形成された絵柄模様層と、前記絵柄模様層上に形成された第１の表面保護層と、前記第１の表面保護層上に部分的に形成された第２の表面保護層と、前記第２の表面保護層上に部分的に形成された第３の表面保護層とを備え、
　前記絵柄模様層は、前記シート基材の表面に、前記表面全体を覆い絵柄の下地色となる柄インキ層と、前記下地色以外の絵柄を表す導管インキ層と、がこの順に積層されて形成され、
　前記第１の表面保護層は、前記第１の表面保護層を通して前記絵柄模様層の絵柄を透視できる程度に透明または半透明な材料で形成され、
　前記第２の表面保護層は、前記第１の表面保護層の前記導管インキ層の印刷インキと対向する部分を被覆する層であり、
　前記第２の表面保護層は、前記第２の表面保護層および第１の表面保護層を通して、前記絵柄模様層の絵柄を透視できる程度に透明または半透明な材料で形成され、
　前記第１の表面保護層と前記第２の表面保護層とが異なる光沢を有し、
　前記第３の表面保護層は、前記第２の表面保護層の７５％以下の面積を被覆し、前記第２の表面保護層の厚みの４倍以上の厚みを有し、
　前記第２の表面保護層の厚みは０．７μｍ以上６．０μｍ未満であり、前記第３の表面保護層の厚みは３０μｍ以上１２０μｍ未満であり、
　前記第２の保護層は、前記導管インキ層を構成する印刷インキが表現する導管の長手方向に垂直な面における断面形状が三角形である部分、前記断面形状が台形である部分、および前記断面形状が階段状である部分が混在していることを特徴とする化粧シート。
【請求項２】
（削除）
【請求項３】
　前記第１の表面保護層は、ウレタン結合を有する熱硬化型樹脂とシリカ粒子とを含むことを特徴とする請求項１に記載の化粧シート。
【請求項４】
　前記第２の表面保護層は、ウレタン結合を有する熱硬化型樹脂を含むことを特徴とする請求項１または３のいずれか１項に記載の化粧シート。
【請求項５】
　前記第３の表面保護層は、ウレタン結合を有する熱硬化型樹脂を含むことを特徴とする請求項１、３、４のいずれか１項に記載の化粧シート。
【請求項６】
　前記第３の表面保護層は、電離放射線硬化型樹脂を含むことを特徴とする請求項１、３、４のいずれか１項に記載の化粧シート。
【請求項７】
　前記第３の表面保護層は、平均粒径３０μｍ以上の合成樹脂ビーズを含むことを特徴とする請求項１、３〜６のいずれか１項に記載の化粧シート。
【請求項８】
　前記合成樹脂ビーズは、アクリル樹脂ビーズであることを特徴とする請求項７に記載の
化粧シート。
【請求項９】
　エンボス加工による凹凸形状が施され、前記凹凸形状は、前記シート基材、前記絵柄模様層、および前記第１の表面保護層の、前記第１の表面保護層上に前記第２の表面保護層が形成されていない部分を凹部とすることで形成されたことを特徴とする請求項１、３〜８のいずれか１項に記載の化粧シート。
【請求項１０】
　請求項１、３〜９のいずれか１項に記載の化粧シートを基板に貼りあわせてなることを特徴とする化粧板。」
第４　取消理由通知（決定の予告）に記載した取消理由について
１．取消理由の概要
　本件訂正前の請求項１〜１０に係る特許に対して、当審が令和２年１２月２２日付けで特許権者に通知した取消理由の要旨は、次のとおりである。
取消理由１（サポート要件）
　本件特許は、特許請求の範囲の記載が、特許法第３６条第６項第１号に規定する要件を満たしていない。
（１）請求項１〜１０には、発明の詳細な説明に記載された、発明の課題を解決するための手段が反映されておらず、請求項１〜１０に係る発明は、発明の詳細な説明に記載した範囲を超えることとなる。
（２）請求項９、１０は、「エンボス加工による凹凸形状が施された」ものであり、「エンボス加工による凹凸形状が施され」る部位について特定がなされていないから、出願時の技術常識に照らしても、本件発明９の範囲まで、発明の詳細な説明に開示された内容を拡張ないし一般化できるとはいえない。
取消理由２（明確性）
　本件特許は、特許請求の範囲の記載が、特許法第３６条第６項第２号に規定する要件を満たしていない。
（１）請求項１に記載された「第２の表面保護層」及び「第３の表面保護層」の「厚さ」について、層のどの部分を「厚さ」として測定しているのか、その比較の基準が不明である。
（２）請求項２には「前記第３の表面保護層の表面は、前記接触式粗さ計で測定した最大高さＲｍａｘ値が３０μｍ以上である」と記載されているが、「第３の表面保護層」の構成が不明である。
（３）請求項７には「平均粒径３０μｍ以上の合成樹脂ビーズまたは無機化合物のフィラー」と記載されているが、「平均粒径３０μｍ以上の」が「合成樹脂ビーズ」のみを修飾しているのか、「合成樹脂ビーズ」及び「無機化合物のフィラー」の双方を修飾しているのかが不明である。
取消理由３（実施可能要件）
　本件特許は、発明の詳細な説明の記載が、特許法第３６条第４項第１号に規定する要件を満たしていない。
（１）請求項１に記載された「第２の表面保護層」の「厚さ」について、厚さの変化する「第２の表面保護層」のどの部分を基準に「第２の表面保護層の厚み」を計測するのかについて、発明の詳細な説明に記載されていない。
（２）請求項２の「前記接触式粗さ計で測定した最大高さＲｍａｘ値が３０μｍ以上である」という構成を実施することはできない。
取消理由４（進歩性）
　本件特許の請求項１〜１０に係る発明は、引用文献１に記載された発明、引用文献２に記載された事項、及び周知技術に基いて、その出願前にその発明の属する技術の分野における通常の知識を有する者が容易に発明をすることができたものであるから、特許法第２９条第２項の規定により特許を受けることができない。
［引用文献等一覧］
１．特開２００８−８７１５６号公報（甲第１号証。以下「甲１」ともいう。他も同様。）
２．国際公開第２００８／１２９６６７号（甲２）
３．特開昭６１−２９３８５４号公報（甲４）
４．国際公開第２０１５／１０５１６８号（甲５）
２．当審の判断
（１）取消理由１（サポート要件）について
ア　発明の課題を解決するための手段について
（ア）本件発明の課題に関して、本件特許明細書等の発明の詳細な説明には、次のように記載されている。なお、下線は、理解の便宜のため当審が付した。
「【背景技術】
【０００２】
　従来、化粧シートとしては、例えば、特許文献１、２に記載の技術がある。この特許文献１に記載の技術では、絵柄模様層上に形成された第１の表面保護層と、第１の表面保護層上に部分的に形成された第２の表面保護層とを備え、第２の表面保護層は、第１の表面保護層と異なる光沢を有する。これにより、化粧シートの表面に光沢差を設け、人間の目の錯覚を利用して、視覚的に立体感を感じさせるようになっている。
　また、特許文献２に記載の技術では、化粧シートの最表面の表面保護層に、１０％〜２０％表出している無機粒子または合成樹脂粒子を含む。これにより、化粧シートの表面に高低差を設けて、触感による立体感を感じさせるようになっていた。
・・・
【０００４】
　しかし、上記特許文献１に記載の技術では、
化粧シートの表面の凹凸が比較的小さいため、触感による立体感を感じさせることが困難であった
繊細な光沢表現ができず、視覚的に立体感を感じさせることが困難であった
　本発明は、上記のような点に着目したもので、
視覚的な立体感と触感による立体感とを有する化粧シート、及び化粧板を提供することを目的としている
　以上の記載によれば、発明の詳細な説明に記載された課題は、「視覚的な立体感と触感による立体感とを有する化粧シート、及び化粧板を提供すること」と解される。
（イ）視覚的な立体感に関して、発明の詳細な説明には、「第２の表面保護層４は、・・・第１の表面保護層３の一部（例えば、導管インキ層２ｂの印刷インキと対向する部分）を被覆する層である。また、第２の表面保護層４は、第２の表面保護層４、第１の表面保護層３を通して、絵柄模様層２の絵柄を透視できる程度に透明または半透明な材料（樹脂）で形成されている。・・・第２の表面保護層４は、・・・、第１の表面保護層３とにより、化粧シート２０の表面１Ｓに光沢差を設け、人間の目の錯覚を利用して、視覚的に立体感を感じさせることができる。」（【００１７】）、「なお、第２の表面保護層４の厚みは、例えば、０．７μｍ以上６．０μｍ未満とするのが好ましい。より好ましくは、１μｍ以上２μｍ未満とする。これにより、第２の表面保護層４の各部に光沢（艶）の高低を持たせることができ、第２の表面保護層４の各部に光沢差を設け、視覚による立体感をより適切に感じさせることができる。」（【００１８】）、「第３の表面保護層５は、・・・第２の表面保護層４の７５％よりも大きな面積を覆わないため、第１の表面保護層３と第２の表面保護層４との光沢差による、繊細なグロス／マット意匠を打ち消す事がない。」（【００２２】）と記載されている。
　そして、本件発明１は、「前記第１の表面保護層は、前記第１の表面保護層を通して前記絵柄模様層の絵柄を透視できる程度に透明または半透明な材料で形成され、前記第２の表面保護層は、前記第１の表面保護層の前記導管インキ層の印刷インキと対向する部分を被覆する層であり、前記第２の表面保護層は、前記第２の表面保護層および第１の表面保護層を通して、前記絵柄模様層の絵柄を透視できる程度に透明または半透明な材料で形成され、前記第１の表面保護層と前記第２の表面保護層とが異なる光沢を有し、前記第３の表面保護層は、前記第２の表面保護層の７５％以下の面積を被覆」すること、及び「前記第２の表面保護層の厚みは０．７μｍ以上６．０μｍ未満であ」ることが特定されており、発明の詳細な説明の上記記載を参照すると、本件発明１は、当該特定事項により視覚的な立体感を有することができる。
（ウ）触感による立体感に関して、発明の詳細な説明には、「第３の表面保護層５は、第２の表面保護層４の７５％以下の面積を被覆し、第２の表面保護層４の４倍以上の厚みを有するため、第２の表面保護層４と第３の表面保護層５とに高低差を設けることができ、触感による立体感を感じさせることができる。・・・また、第３の表面保護層５の表面を、接触式粗さ計で測定した最大高さＲｍａｘ値を３０μｍ以上としたため、触感による立体感をより適切に感じさせることができる。」（【００２２】）と記載されている。
　そして、本件発明１は、「前記第３の表面保護層は、前記第２の表面保護層の７５％以下の面積を被覆し、前記第２の表面保護層の厚みの４倍以上の厚みを有」すること、及び「前記第３の表面保護層の厚みは３０μｍ以上１２０μｍ未満であ」ることが特定されており、発明の詳細な説明の上記記載を参照すると、本件発明１は、当該特定事項により触感による立体感を有することができる。
イ　「エンボス加工による凹凸形状が施され」る部位について
　本件訂正後の本件発明９では、「エンボス加工による凹凸形状が施され」る部位について、「前記凹凸形状は、前記シート基材、前記絵柄模様層、および前記第１の表面保護層の、前記第１の表面保護層上に前記第２の表面保護層が形成されていない部分を凹部とすることで形成された」と特定されている。
　すなわち、「第２の表面保護層が形成されていない部分を凹部」としているため、「凹部」は、「前記第２の表面保護層」が被覆している「前記導管インキ層の印刷インキと対向する部分」には設けられないため、絵柄を「視覚的な立体感と触感による立体感とを有する」ように構成することができる。
ウ　小括
　よって、本件発明１、３〜１０は、発明の詳細な説明に記載した範囲内のものである。
（２）取消理由２（明確性）について
ア　請求項１に記載された「第２の表面保護層」及び「第３の表面保護層」の「厚さ」について
　「第３の表面保護層」の「厚さ」に関して、本件特許明細書等には、「第３の表面保護層５の厚みとしては、例えば、第３の表面保護層５の表面を、接触式粗さ計で測定した最大高さＲｍａｘ値を用いることができる。」（【００２１】）と記載されており、「第１の表面保護層」を基準とした「第３の表面保護層」の最も高い部分の高さを、「第３の表面保護層」の「厚さ」としていることが理解できることから、「第３の表面保護層」の「厚さ」は明確である。
　「第２の表面保護層」の「厚さ」についても、同様に、明確である。
イ　本件訂正により、本件補正前の請求項２は削除されたので、請求項２に係る取消理由は解消した。
ウ　本件訂正により、「無機化合物のフィラー」の記載が削除されたことにより、「平均粒径３０μｍ以上の」記載が「合成樹脂ビーズ」を修飾していることが明確となった。
エ　小括
　よって、本件発明１、３〜１０は、明確である。
オ　付言
　申立人は、令和３年４月１５日提出の意見書において、「訂正発明１における「前記第２の保護層」は当該記載以前に記載がない（前記がされていない）から、不明確である。」（１３ページ６〜７行）と述べている。
　まず、請求項１の「第２の」という修飾語について着目すると、「前記第２の保護層」という記載よりも前には、「第２の表面保護層」という記載があるのだから、「前記第２の」は「第２の表面保護層」の「第２」を指すことに他ならず、このことは、本件特許明細書等の「第２の表面保護層４は、第１の表面保護層３上に部分的に形成され、第１の表面保護層３の一部（例えば、導管インキ層２ｂの印刷インキと対向する部分）を被覆する層である。」（【００１７】）という記載、及び図１〜３において符号（４）でその断面形状が示されていることとも整合する。
（３）取消理由３（実施可能要件）について
ア　「表面保護層」の「厚さ」に関して、本件特許明細書等には、「第３の表面保護層５の厚みとしては、例えば、第３の表面保護層５の表面を、接触式粗さ計で測定した最大高さＲｍａｘ値を用いることができる。」（【００２１】）と記載されている。「第２の表面保護層」と「第３の表面保護層」とは、いずれも「第１の表面保護層」上に部分的に形成されたものであるから、「第２の表面保護層」の「厚さ」についても、「第３の表面保護層」の「厚さ」と同様の方法により計測できることが理解できる。
イ　本件訂正により、本件補正前の請求項２は削除されたので、請求項２に係る取消理由は解消した。
ウ　小括
　よって、本件特許の発明の詳細な説明は、当業者が本件発明１、３〜１０を実施できる程度に記載されたものである。
（４）取消理由４（進歩性）について
ア　引用文献の記載事項
（ア）引用文献１には、次の記載がある。
「【請求項１】
　基材上に少なくとも、着色層と、該着色層を被覆する保護層と、該保護層上に多数の第１盛上部から形成された第１盛上層と、該第１盛上層上に多数の第２盛上部から形成された第２盛上層とがこの順に積層されてなる化粧シート。
【請求項２】
　前記着色層が絵柄層である請求項１に記載の化粧シート。
【請求項３】
　前記第１盛上部が不定型な形状であり、かつ前記第２盛上部が不定型な形状の絵柄である請求項１又は２に記載の化粧シート。
【請求項４】
　前記第１盛上部の高さが１〜２０μｍである請求項１〜３のいずれかに記載の化粧シート。
【請求項５】
　前記保護層に対する第１盛上部の占有面積が５０〜９９％である請求項１〜４のいずれかに記載の化粧シート。
【請求項６】
　前記第２盛上部の高さが３０〜９０μｍである請求項１〜５のいずれかに記載の化粧シート。
【請求項７】
　前記保護層に対する第２盛上部の占有面積が１０〜９０％である請求項１〜６のいずれかに記載の化粧シート。
【請求項８】 
　前記絵柄層が抽象柄である請求項２〜７のいずれかに記載の化粧シート。
【請求項９】
　前記基材と着色層との間に着色ベタ層を有する請求項１〜８のいずれかに記載の化粧シート。」
「【０００１】
　本発明は、建築物の内装，外装，家具，建具の表面化粧、車両の内装等に用いられる化粧シートに関し、特に、耐汚染性や触感、マット感、光沢感等を有する意匠性に優れた化粧シートに関する。」
「【０００７】
　本発明の化粧シート１は、図１に示すように、基材５上に少なくとも、着色層３と、着色層３を被覆する保護層４と、保護層４上に多数の第１盛上部９から形成された第１盛上層１０と、第１盛上層１０上に多数の第２盛上部６から形成された第２盛上層７とがこの順に積層されてなる化粧シート１である。
　また、図１に示すように、本発明の化粧シート１は、基材５と着色層３との間に着色ベタ層２を有していても良い。
【０００８】
　本発明で用いられる基材５としては、通常化粧シートの基材として用いられるものであれば、特に限定されず、各種の紙類、プラスチックフィルム、プラスチックシート、金属箔、金属シート、金属板、木材などの木質系の板、窯業系素材等を用途に応じて適宜選択することができる。これらの材料はそれぞれ単独で使用してもよいが、紙同士の複合体や紙とプラスチックフィルムの複合体等、任意の組み合わせによる積層体であってもよい。
　これらの基材、特にプラスチックフィルムやプラスチックシートを基材として用いる場合には、その上に設けられる層との密着性を向上させるために、所望により、片面又は両面に酸化法や凹凸化法などの物理的又は化学的表面処理を施すことができる。・・・
【０００９】
　基材５として用いられる各種の紙類としては、薄葉紙、クラフト紙、チタン紙などが使用できる。これらの紙基材は、紙基材の繊維間ないしは他層と紙基材との層間強度を強化したり、ケバ立ち防止のため、これら紙基材に、更に、アクリル樹脂、スチレンブタジエンゴム、メラミン樹脂、ウレタン樹脂等の樹脂を添加（抄造後樹脂含浸、又は抄造時に内填）させたものでもよい。例えば、紙間強化紙、樹脂含浸紙等である。・・・
【００１０】
　プラスチックフィルム又はプラスチックシートとしては、各種の合成樹脂からなるものが挙げられる。合成樹脂としては、ポリエチレン樹脂、ポリプロピレン樹脂、ポリメチルペンテン樹脂、ポリ塩化ビニル樹脂、ポリ塩化ビニリデン樹脂、ポリビニルアルコール樹脂、塩化ビニル−酢酸ビニル共重合樹脂、エチレン−酢酸ビニル共重合樹脂、エチレン−ビニルアルコール共重合樹脂、ポリエチレンテレフタレート樹脂、ポリブチレンテレフタレート樹脂、ポリエチレンナフタレート−イソフタレート共重合樹脂、ポリメタクリル酸メチル樹脂、ポリメタクリル酸エチル樹脂、ポリアクリル酸ブチル樹脂、ナイロン６又はナイロン６６等で代表されるポリアミド樹脂、三酢酸セルロース樹脂、セロファン、ポリスチレン樹脂、ポリカーボネート樹脂、ポリアリレート樹脂、又はポリイミド樹脂等が挙げられる。」
「【００１３】
　本発明において、着色ベタ層２は、本発明の化粧シートの意匠性を高める目的で所望により設けられる、隠蔽層、あるいは全面ベタ層とも称されるものである。着色ベタ層２は基材５上の表面の色を整えることで、基材５自身が着色していたり、色ムラがあるときに形成して、基材５の表面に意図した色彩を与えるものである。・・・
【００１４】
　本発明において、着色層３は基材５に装飾性を与えるものであり、種々の模様をインキと印刷機を使用して印刷することにより形成され、着色層３は絵柄層であると好ましく、絵柄層が抽象柄であると好ましい。模様としては、木目模様、大理石模様（例えばトラバーチン大理石模様）等の岩石の表面を模した石目模様、布目や布状の模様を模した布地模様、タイル貼模様、煉瓦積模様等があり、これらを複合した寄木、パッチワーク等の模様もある。これらの模様は通常の黄色、赤色、青色、及び黒色のプロセスカラーによる多色印刷によって形成される他、模様を構成する個々の色の版を用意して行う特色による多色印刷等によっても形成される。
　なお、着色層３は、基材上前面に設けられていても、図１に示すように部分的に設けられたものであってもよい。
　着色層３に用いる絵柄インキとしては、着色ベタ層２に用いるインキと同様のものを用いることができる。
　着色層３の厚さについては特に制限はないが、通常１〜３０μｍ程度、好ましくは１〜２０μｍの範囲である。
【００１５】
　本発明において、保護層４としては、着色層３を保護する材質であれば特に限定されないが、例えば、熱硬化性樹脂等の公知の硬化性塗料を用途等に応じて適宣採用することができる。
　前記熱硬化性樹脂としては、ポリエステル樹脂、ウレタン樹脂、エポキシ樹脂、メラミン樹脂、アルキド樹脂、フェノール樹脂、アクリル樹脂等が挙げられる。
　保護層４の厚さについては特に制限はないが、通常１〜２０μｍ程度、好ましくは１〜１０μｍの範囲である。
【００１６】
　本発明の化粧シート１には、保護層４上に第１及び第２盛上層からなる２段盛上が形成されている。 
　２段盛上は、保護層４上に多数の第１盛上部９から形成された第１盛上層１０と、第１盛上層１０上に多数の第２盛上部６から形成された第２盛上層７とがこの順に積層されることにより、化粧シートの耐汚染性が改善され、さらに、２段盛上の輪郭が表され豊かな絵柄表現が可能となり、また、表面層上の絵柄が形成された部分とこれが形成されていない部分との間に光沢差が生じることから、化粧シートの装飾性もしくは意匠性が高められる。
【００１７】
　第１盛上層１０及び第２盛上層７の材料としては、特に限定されず、例えば、着色ベタ層２に用いるインキや保護層４で挙げた前記熱硬化性樹脂又は電離放射線もしくは紫外線硬化性樹脂組成物を用いることができる。
　前記電離放射線もしくは紫外線硬化性樹脂組成物とは、電磁波又は荷電粒子線の中で分子を架橋、重合させ得るエネルギー量子を有するもの、すなわち、紫外線又は電子線などを照射することにより、架橋、硬化する樹脂組成物を指す。具体的には、従来電離放射線もしくは紫外線硬化性樹脂組成物として慣用されている重合性モノマー及び重合性オリゴマーないしはプレポリマーの中から適宜選択して用いることができる。」
「【００２３】
　第１盛上部９の高さは１〜２０μｍであると好ましく、この範囲内であれば、耐汚染性や触感、マット感、光沢感等を有する意匠性の効果が十分に得られる。
　保護層４に対する第１盛上部９の占有面積は５０〜９９％であると好ましく、この範囲内であれば、耐汚染性や触感、マット感、光沢感等を有する意匠性の効果が十分に得られる。」
「【００２５】
　第２盛上部６の高さは３０〜９０μｍであると好ましく、この範囲内であれば、耐汚染性や触感、マット感、光沢感等を有する意匠性の効果が十分に得られる。 
　保護層４に対する第２盛上部６の占有面積は１０〜９０％であると好ましく、この範囲内であれば、耐汚染性や触感、マット感、光沢感等を有する意匠性の効果が十分に得られる。」
「【００２７】
　本発明の化粧シート１は、各種基板に貼着して化粧板として使用することができる。被着体となる基板は、特に限定されず、プラスチックシート、金属板、木材などの木質系の板、窯業系素材等を用途に応じて適宜選択することができる。・・・」
「【００３５】
実施例１〜２
　基材５として、米秤量３０ｇ／ｍ２の建材用紙間強化紙を用い、その片面にアクリル樹脂と硝化綿をバインダーとし、チタン白、弁柄、黄鉛を着色剤とするインキを用いて、塗工量５ｇ／ｍ２の（全面ベタ）層をグラビア印刷にて施して着色ベタ層２とした。その上に硝化綿をバインダーとし、弁柄を主成分とする着色剤を含有するインキを用いて、木目模様の着色層３をグラビア印刷にて形成した。
　次いで、これらインキ層の上に、アクリルポリオールとイソシアネートからなるウレタン樹脂（大日本インキ化学工業（株）製「ＵＣ」）を５５質量％及び平均粒子径約２μｍであるシリカ粒子を２２．５質量％となるように酢酸エチル（溶剤）に溶解又は分散して得た熱硬化性樹脂組成物を塗工量５ｇ／ｍ２でグラビア印刷にて塗工し保護層４とした。
　その後、アクリル樹脂を主成分とした盛り上げ用のインキ（大日精化工業（株）製、商品名：ＫＫＢキュアＵセミマットメヂウム）を用いて、図３に示す不定型な形状の絵柄の版型を用いて第１盛上層１０（第１盛上層１０のボロノイ５０％）及び第２盛上層７（不定型な絵柄形状）からなる２段盛上層を形成した。第１盛上層１０に相当する版深は表１に示すとおりである。また、保護層４に対する第１盛上部９、第２盛上部６の非導管部に相当する版型の占有面積は表１に示すとおりである。
　このようにして得られた化粧シート１の保護層４上における、第１盛上部９及び第２盛上部６の占有面積を測定した結果を表１に示す。また、前記（２）〜（４）の評価をした結果を表２に示す。
　なお、表１において、最大高さとは、盛上部の最大の高さであり、高さピークとは、盛上部の高さ分布をヒストグラム（図５参照）で表した際に、占有面積が最大となる高さのことである。」
「【００３７】 
【表１】
」
「【図１】
」
（イ）以上を総合すると、引用文献１には、次の発明（以下「引用発明」という。）が記載されているといえる。
「基材上に少なくとも、絵柄層である着色層と、該着色層を被覆する保護層と、該保護層上に多数の第１盛上部から形成された第１盛上層と、該第１盛上層上に多数の第２盛上部から形成された第２盛上層とがこの順に積層されてなり、基材と着色層との間に、表面の色を整える着色ベタ層を有しており、着色層は基材に装飾性を与えるものであり、第１盛上層と、第１盛上層上に形成された第２盛上層とによる２段盛上により、表面層上の絵柄が形成された部分とこれが形成されていない部分との間に光沢差が生じ、表面層上の絵柄が形成された部分とこれが形成されていない部分との間に光沢差が生じ、第１盛上部の高さは１〜２０μｍであり、保護層に対する第１盛上部の占有面積は５０〜９９％であり、第２盛上部の高さは３０〜９０μｍであり、保護層に対する第２盛上部の占有面積は１０〜９０％である化粧シート。」
イ　本件発明１について
（ア）対比
　本件発明１と引用発明とを対比する。
　引用発明の「基材」は「シート基材」に相当し、以下同様に、「保護層」は「第１の表面保護層」に、「第１盛上層」及び「第１盛上部」は「第２の表面保護層」及び「第２の保護層」に、「第２盛上層」及び「第２盛上部」は「第３の表面保護層」に、「着色ベタ層」は「柄インキ層」に相当する。
　引用発明の「着色ベタ層」が「基材上の表面の色を整える」ことは、本件発明１の「柄インキ層」が「前記シート基材の表面に、前記表面全体を覆い絵柄の下地色となる」ことに相当する。
　引用発明の「着色層」と本件発明１の「導管インキ層」とは、「着色層」である限りで一致する。
　引用文献１の「着色ベタ層２は基材５上の表面の色を整えることで、基材５自身が着色していたり、色ムラがあるときに形成して、基材５の表面に意図した色彩を与える」（【００１３】）ものであり、「着色層３は基材５に装飾性を与えるものであり、種々の模様をインキと印刷機を使用して印刷することにより形成され、着色層３は絵柄層であると好ましく、絵柄層が抽象柄であると好ましい」（【００１４】）の記載から、「着色ベタ層」と「着色層」とにより、絵柄模様が形成されるといえるから、引用発明における「基材と着色層との間に、表面の色を整える着色ベタ層を有して」いることと、本件発明１の「前記絵柄模様層は、前記シート基材の表面に、前記表面全体を覆い絵柄の下地色となる柄インキ層と、前記下地色以外の絵柄を表す導管インキ層と、がこの順に積層されて形成され」ていることとは、「絵柄模様層は、シート基材の表面に、表面全体を覆い絵柄の下地色となる柄インキ層と、下地色以外の絵柄を表す着色層と、がこの順に積層されて形成され」る限りで一致する。
　引用発明において、「第１盛上層１０と、第１盛上層１０上に形成された第２盛上層７とによる２段盛上により、表面層上の絵柄が形成された部分とこれが形成されていない部分との間に光沢差が生じ」るものであることは、引用文献１の図１を参照すると、「２段盛上」が「着色層」と対向する部分に設けられていることから、引用発明における「第１盛上層１０と、第１盛上層１０上に形成された第２盛上層７とによる２段盛上」が、「表面層上の絵柄が形成された部分とこれが形成されていない部分との間に光沢差が生じ」るものであることと、本件発明１の「前記第２の表面保護層は、前記第１の表面保護層の前記導管インキ層の印刷インキと対向する部分を被覆する層であ」ることとは、「第２の表面保護層は、第１の表面保護層の着色層の印刷インキと対向する部分を被覆する層であ」る限りで一致する。
　したがって、本件発明１と引用発明１とは、次の点で一致し、相違する。
［一致点］
「シート基材上に形成された絵柄模様層と、前記絵柄模様層上に形成された第１の表面保護層と、前記第１の表面保護層上に部分的に形成された第２の表面保護層と、前記第２の表面保護層上に部分的に形成された第３の表面保護層とを備え、
　前記絵柄模様層は、前記シート基材の表面に、前記表面全体を覆い絵柄の下地色となる柄インキ層と、前記下地色以外の絵柄を表す着色層と、がこの順に積層されて形成され、
　前記第１の表面保護層は、前記第１の表面保護層を通して前記絵柄模様層の絵柄を透視できる程度に透明または半透明な材料で形成され、
　前記第２の表面保護層は、前記第１の表面保護層の前記着色層の印刷インキと対向する部分を被覆する層である化粧シート。」
［相違点１］
　「着色層」に関して、本件発明１は「導管インキ層」であるのに対して、引用発明は「着色層」であり導管インキについて不明である点。
［相違点２］
　本件発明１は、「前記第２の表面保護層は、前記第２の表面保護層および第１の表面保護層を通して、前記絵柄模様層の絵柄を透視できる程度に透明または半透明な材料で形成され」るのに対して、引用発明は、「第１盛上部」及び「第１盛上層」がそのようなものであるのか不明である点。
［相違点３］
　本件発明１は、「前記第１の表面保護層と前記第２の表面保護層とが異なる光沢を有し」ているのに対し、引用発明はその点不明である点。
［相違点４］
　本件発明１は、「前記第３の表面保護層は、前記第２の表面保護層の７５％以下の面積を被覆し」ているのに対し、引用発明は、「保護層に対する第１盛上部の占有面積は５０〜９９％であり」、「保護層に対する第２盛上部の占有面積は１０〜９０％」であり、「第２盛上部」が「第１盛上部（第１盛上層）」のどの程度の面積を被覆するものであるかについて不明である点。
［相違点５］
　本件発明１は、「前記第３の表面保護層は」、「前記第２の表面保護層の厚みの４倍以上の厚みを有し」、「前記第２の表面保護層の厚みは０．７μｍ以上６．０μｍ未満であり、前記第３の表面保護層の厚みは３０μｍ以上１２０μｍ未満であ」るのに対し、引用発明は、「第１盛上部の高さは１〜２０μｍであり」、「第２盛上部の高さは３０〜９０μｍであ」る点。
［相違点６］
　本件発明１は、「前記第２の保護層は、前記導管インキ層を構成する印刷インキが表現する導管の長手方向に垂直な面における断面形状が三角形である部分、前記断面形状が台形である部分、および前記断面形状が階段状である部分が混在している」のに対して、引用発明は、第１盛上部（第１盛上層）の断面形状が不明である点。
（イ）判断
　まず、相違点６について検討すると、相違点６に係る本件発明１の構成、すなわち、「第２の保護層」の「断面形状が三角形である部分、前記断面形状が台形である部分、および前記断面形状が階段状である部分が混在している」点については、引用文献１〜４及び甲３に記載されておらず、また本件特許に係る出願の出願前において周知技術であるともいえない。
　したがって、引用発明において、相違点６に係る本件発明１の構成とすることを、当業者が容易に想到し得たとはいえない。
　よって、相違点１〜５を検討するまでもなく、本件発明１は、当業者が引用発明に基いて容易に発明をすることができたものであるとはいえない。
ウ　本件発明３〜１０について
　本件発明３〜１０は、本件発明１の特定事項を全て含み、さらに限定を加えるものであるから、上記（２）で検討したのと同じ理由により、当業者が引用発明に基いて容易に発明をすることができたものであるとはいえない。
エ　小括
　以上のとおりであるから、本件発明１、３〜１０に係る特許は、特許法第２９条第２項の規定に違反してされたものではない。
第５　取消理由通知（決定の予告）に採用しなかった特許異議申立理由について
１．特許異議申立理由中、取消理由通知（決定の予告）に採用しなかったものは、概略以下のとおりである。
申立理由（新規性）
　本件訂正前の請求項１〜７、９、１０に係る発明は、甲第１号証（引用文献１）に記載された発明であるから、特許法第２９条第１項第３号に該当し、同法第２９条第１項の規定に違反してされたものであり、その特許は、同法第１１３条第２号に該当するから、取り消されるべきものである。
２．当審の判断
　引用文献１に記載された発明と本件発明１とは、上記第４の２．（４）イ（ア）で示したとおり、［相違点１］〜［相違点６］の点で相違し、また、上記第４の２．（４）イ（イ）で示したとおり、［相違点６］は実質的な相違点である。
　そうすると、本件発明１、及び本件発明１の特定事項を全て含み、さらに限定を加える本件発明３〜１０は、引用文献１に記載された発明ではない。
第６　むすび
　以上のとおり、取消理由通知（決定の予告）に記載した取消理由、及び特許異議申立書に記載された特許異議申立理由によっては、本件発明１、３〜１０に係る特許を取り消すことはできない。さらに、他に請求項１、３〜１０に係る特許を取り消すべき理由は発見しない。
　また、請求項２に係る特許は、本件訂正により削除されたため、申立人による特許異議の申立てについて、請求項２に係る申立ては、申立ての対象が存在しないものとなったため、特許法第１２０条の８第１項で準用する同法第１３５条の規定により却下する。
　よって、結論のとおり決定する。
【異議決定日】
令和３年７月６日（２０２１．７．６）
【訂正の要旨】
審決（決定）の【理由】欄参照。
（５７）【特許請求の範囲】
　【請求項１】
　シート基材上に形成された絵柄模様層と、前記絵柄模様層上に形成された第１の表面保護層と、前記第１の表面保護層上に部分的に形成された第２の表面保護層と、前記第２の表面保護層上に部分的に形成された第３の表面保護層とを備え、
　前記絵柄模様層は、前記シート基材の表面に、前記表面全体を覆い絵柄の下地色となる柄インキ層と、前記下地色以外の絵柄を表す導管インキ層と、がこの順に積層されて形成され、
　
前記第１の表面保護層は、前記第１の表面保護層を通して前記絵柄模様層の絵柄を透視できる程度に透明または半透明な材料で形成され、
　
前記第２の表面保護層は、前記第１の表面保護層の前記導管インキ層の印刷インキと対向する部分を被覆する層であり、
　
前記第２の表面保護層は、前記第２の表面保護層および前記第１の表面保護層を通して、前記絵柄模様層の絵柄を透視できる程度に透明または半透明な材料で形成され、
　前記第１の表面保護層と前記第２の表面保護層とが異なる光沢を有し、
　前記第３の表面保護層は、前記第２の表面保護層の７５％以下の面積を被覆し、前記第２の表面保護層の厚みの４倍以上の厚みを有
し、
　
前記第２の表面保護層の厚みは０．７μｍ以上６．０μｍ未満であり、前記第３の表面保護層の厚みは３０μｍ以上１２０μｍ未満であり、
　
前記第２の保護層は、前記導管インキ層を構成する印刷インキが表現する導管の長手方向に垂直な面における断面形状が三角形である部分、前記断面形状が台形である部分、および前記断面形状が階段状である部分が混在している
　【請求項２】
（削除）
　【請求項３】
　前記第１の表面保護層は、ウレタン結合を有する熱硬化型樹脂とシリカ粒子とを含むことを特徴とする請求項
１
　【請求項４】
　前記第２の表面保護層は、ウレタン結合を有する熱硬化型樹脂を含むことを特徴とする請求項１
または
　【請求項５】
　前記第３の表面保護層は、ウレタン結合を有する熱硬化型樹脂を含むことを特徴とする請求項１
、３、
　【請求項６】
　前記第３の表面保護層は、電離放射線硬化型樹脂を含むことを特徴とする請求項１
、３、
　【請求項７】
　前記第３の表面保護層は、平均粒径３０μｍ以上の合成樹脂ビー
ズを
、３〜
　【請求項８】
　前記合成樹脂ビーズは、アクリル樹脂ビーズであることを特徴とする請求項７に記載の化粧シート。
　【請求項９】
　エンボス加工による凹凸形状が施され
、前記凹凸形状は、前記シート基材、前記絵柄模様層、および前記第１の表面保護層の、前記第１の表面保護層上に前記第２の表面保護層が形成されていない部分を凹部とすることで形成された
、３〜
　【請求項１０】
　請求項１
、３〜